【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
外部から管理対象のネットワークに流入して外部へ送出されるトラフィックを可視化してユーザに提示するネットワーク情報提示装置であって、
管理対象のネットワークの境界にある一つ以上のルータから収集され、ユーザからの指示に応じて指定されるトラフィック情報を取得するトラフィック取得手段と、
前記トラフィックが前記管理対象のネットワークに流入する始点ルータから、前記トラフィックが前記管理対象のネットワークから送出される終点ルータまでの経路情報を、前記管理対象のネットワークの内部における経路に関する情報に基づいて取得する経路取得手段と、
前記トラフィックの指定と前記終点ルータの特定の少なくとも一方を前記管理対象のネットワークの外部における経路に関する情報に基づいて行う制御手段と、
前記経路取得手段により取得された経路情報と前記トラフィック取得手段により取得されたトラフィック情報とを対応付けてユーザに提示する提示手段とを備えたことを特徴とするネットワーク情報提示装置。
【請求項２】
外部から管理対象のネットワークに流入して外部へ送出されるトラフィックを可視化してユーザに提示するネットワーク情報提示装置であって、
ユーザからの指示に基づいて、トラフィックを指定するための情報を求める指定手段と、
管理対象のネットワークの境界にある一つ以上のルータから収集され、前記指定手段により求められた情報により指定されるトラフィック情報を取得するトラフィック取得手段と、
前記トラフィックが前記管理対象のネットワークに流入する始点ルータと前記トラフィックが前記管理対象のネットワークから送出される終点ルータとを特定する特定手段と、
前記特定手段により特定された始点ルータから終点ルータまでの、前記管理対象のネットワーク内部の経路情報を取得する経路取得手段と、
前記経路取得手段により取得された経路情報と前記トラフィック取得手段により取得されたトラフィック情報とを対応付けてユーザに提示する提示手段とを備えたことを特徴とするネットワーク情報提示装置。
【請求項３】
前記指定手段により求められる情報は、前記トラフィックの宛先ネットワークアドレスと送信元ネットワークアドレスの少なくとも一方を含むものであり、
前記特定手段は、前記指定手段により指定されたトラフィック情報が得られたルータを前記始点ルータとして、前記トラフィックの宛先ネットワークアドレスに基づいて求められるルータを前記終点ルータとして、特定するものであることを特徴とする請求項２に記載のネットワーク情報提示装置。
【請求項４】
前記管理対象のネットワークの外部における経路に関する情報を記憶する外部情報記憶手段を更に備え、
前記特定手段は、前記外部情報記憶手段に記憶された情報を参照することにより、前記トラフィックの宛先ネットワークアドレスに基づいて前記終点ルータを求める手段を含むことを特徴とする請求項２又は３に記載のネットワーク情報提示装置。
【請求項５】
前記管理対象のネットワークの外部における経路に関する情報を記憶する外部情報記憶手段を更に備え、
前記指定手段は、前記外部情報記憶手段に記憶された情報を参照することにより、ユーザから指示された宛先又は送信元ネットワーク管理番号に基づいて一つ以上の宛先又は送信元ネットワークアドレスを求める手段を含むことを特徴とする請求項２乃至４のいずれか１項に記載のネットワーク情報提示装置。
【請求項６】
前記管理対象のネットワークの外部における経路に関する情報を記憶する外部情報記憶手段を更に備え、
前記指定手段は、前記外部情報記憶手段に記憶された情報を参照することにより、ユーザから指示されたピアネットワーク管理番号に基づいて一つ以上のネットワークアドレスを求める手段を含むことを特徴とする請求項２乃至４のいずれか１項に記載のネットワーク情報提示装置。
【請求項７】
前記指定手段は、前記ユーザからの指示に基づいて終点ルータを求め、前記一つ以上のルータに登録されている前記終点ルータに対応する宛先ネットワークアドレスを、前記トラフィックを指定するための情報として、得る手段を含み、
前記特定手段は、前記終点ルータに対応する宛先ネットワークアドレスが得られたルータを前記始点ルータとして、前記指定手段により求められた終点ルータを前記終点ルータとして、特定するものであることを特徴とする請求項２に記載のネットワーク情報提示装置。
【請求項８】
前記管理対象のネットワークの外部における経路に関する情報を記憶する外部情報記憶手段を更に備え、
前記指定手段は、前記外部情報記憶手段に記憶された情報を参照することにより、前記終点ルータに対応する宛先ネットワークアドレスを求める手段を含むことを特徴とする請求項２又は７に記載のネットワーク情報提示装置。
【請求項９】
前記管理対象のネットワークの内部における経路に関する情報を記憶する内部情報記憶手段を更に備え、
前記指定手段は、前記内部情報記憶手段に記憶された情報を参照することにより、ユーザから指示されたアドレスを自己が接続するアドレスとして有するルータを前記終点ルータとして求める手段を含むことを特徴とする請求項１又は６に記載のネットワーク情報提示装置。
【請求項１０】
前記管理対象のネットワークの内部における経路に関する情報を記憶する内部情報記憶手段を更に備え、
前記経路取得手段は、前記内部情報記憶手段に記憶された情報を参照することにより、前記始点ルータから前記終点ルータまでの経路情報を取得するものであることを特徴とする請求項２乃至９のいずれか１項に記載のネットワーク情報提示装置。
【請求項１１】
外部から管理対象のネットワークに流入して外部へ送出されるトラフィックを可視化してユーザに提示するネットワーク情報提示装置であって、
前記管理対象のネットワークの内部において、ユーザから指示されたルータもしくはルータ間のリンクを通る一つ以上の経路の情報を取得する経路取得手段と、
前記一つ以上の経路のそれぞれについて、前記管理対象のネットワークの境界にある始点ルータ及び終点ルータを特定する特定手段と、
前記特定手段により特定された終点ルータに基づいて、トラフィックを指定するための情報を求める指定手段と、
前記特定手段により特定された始点ルータから収集され、前記指定手段により求められた情報により指定されるトラフィック情報を取得するトラフィック取得手段と、
前記経路取得手段により取得された経路の情報と前記トラフィック取得手段により取得されたトラフィック情報とを対応付けてユーザに提示する提示手段とを備えたことを特徴とするネットワーク情報提示装置。
【請求項１２】
前記管理対象のネットワークの内部における経路に関する情報を記憶する内部情報記憶手段を更に備え、
前記経路取得手段と前記特定手段は、前記内部情報記憶手段に記憶された情報を参照することにより、前記経路の情報の取得と前記始点ルータ及び前記終点ルータの特定を行うものであることを特徴とする請求項１１に記載のネットワーク情報提示装置。
【請求項１３】
前記管理対象のネットワークの外部における経路に関する情報を記憶する外部情報記憶手段を更に備え、
前記指定手段は、前記外部情報記憶手段に記憶された情報を参照することにより、前記始点ルータに登録されている前記終点ルータに対応する宛先ネットワークアドレスを、前記トラフィックを指定するための情報として、得るものであることを特徴とする請求項１１に記載のネットワーク情報提示装置。
【請求項１４】
前記ユーザからの始点ルータの指示を受け付ける受付手段を更に備え、
前記トラフィック取得手段が取得する前記トラフィック情報を、前記受付手段を介してユーザから指示された始点ルータから収集されたトラフィック情報とし、
前記特定手段は、前記受付手段を介したユーザからの指示に従って始点ルータを特定することを特徴とする請求項２乃至１３のいずれか１項に記載のネットワーク情報提示装置。
【請求項１５】
外部から管理対象のネットワークに流入して外部へ送出されるトラフィックを可視化してユーザに提示するネットワーク情報提示方法であって、
ユーザからの指示に基づいて、トラフィックを指定するための情報を求め、
管理対象のネットワークの境界にある一つ以上のルータから収集され、前記情報により指定されるトラフィック情報を取得し、
前記トラフィックが前記管理対象のネットワークに流入する始点ルータと前記トラフィックが前記管理対象のネットワークから送出される終点ルータとを特定し、
前記始点ルータから前記終点ルータまでの、前記管理対象のネットワーク内部の経路情報を取得し、
取得された前記経路情報と前記トラフィック情報とを対応付けてユーザに提示することを特徴とするネットワーク情報提示方法。
【請求項１６】
外部から管理対象のネットワークに流入して外部へ送出されるトラフィックを可視化してユーザに提示するネットワーク情報提示方法であって、
ユーザからの指示に基づいて、終点ルータを求め、
管理対象のネットワークの境界にある一つ以上のルータに、前記終点ルータに対応して登録されている、トラフィックを指定するための情報を求め、
前記一つ以上のルータから収集され、前記情報により指定されるトラフィック情報を取得し、
前記一つ以上のルータを始点ルータとして、前記始点ルータから前記終点ルータまでの、前記管理対象のネットワーク内部の経路情報を取得し、
取得された前記経路情報と前記トラフィック情報とを対応付けてユーザに提示することを特徴とするネットワーク情報提示方法。
【請求項１７】
外部から管理対象のネットワークに流入して外部へ送出されるトラフィックを可視化してユーザに提示するネットワーク情報提示方法であって、
前記管理対象のネットワークの内部において、ユーザから指示されたルータもしくはルータ間のリンクを通る一つ以上の経路の情報を取得し、
前記一つ以上の経路のそれぞれについて、前記管理対象のネットワークの境界にある始点ルータ及び終点ルータを特定し、
前記終点ルータに基づいて、トラフィックを指定するための情報を求め、
前記始点ルータから収集され、前記情報により指定されるトラフィック情報を取得し、
取得された前記経路の情報と前記トラフィック情報とを対応付けてユーザに提示することを特徴とするネットワーク情報提示方法。
【請求項１８】
コンピュータにインストールされて、該コンピュータを、外部から管理対象のネットワークに流入して外部へ送出されるトラフィックを可視化してユーザに提示するネットワーク情報提示装置として機能させるためのプログラムであって、
管理対象のネットワークの境界にある一つ以上のルータから収集され、ユーザからの指示に応じて指定されるトラフィック情報を取得するためのトラフィック取得用コードと、
前記トラフィックが前記管理対象のネットワークに流入する始点ルータから、前記トラフィックが前記管理対象のネットワークから送出される終点ルータまでの経路情報を、前記管理対象のネットワークの内部における経路に関する情報に基づいて取得するための経路取得用コードと、
前記トラフィックの指定と前記終点ルータの特定の少なくとも一方を前記管理対象のネットワークの外部における経路に関する情報に基づいて行うための制御用コードと、
取得された前記トラフィック情報を取得された前記経路情報と対応付けてユーザに提示するための提示用コードとを備えたことを特徴とするプログラム。
【手続補正２】
【補正対象書類名】明細書
【補正対象項目名】００３５
【補正方法】変更
【補正の内容】
【００３５】
自ＡＳ２００は、複数のエリアに分割して管理することが可能であり、そのうちの一つのエリアが２０５で表されている。ＯＳＰＦやＩＳ−ＩＳ等のＡＳ内部のルーティング情報は、ＩＧＰ情報管理ノード２４０，２４５により、管理されている。ＩＧＰ情報管理ノードは、エリア毎に設けられていてもよい。ネットワークの信頼性向上のために冗長性を持たせ、各エリアに同じＩＧＰ情報管理ノードが複数設けられていてもよい。また、ＢＧＰ等のＡＳ間のルーティング情報は、ＢＧＰスピーカである境界ルータ２１０、２１５が、記憶している。複数の境界ルータのＢＧＰ情報を交換するＢＧＰルートリフレクタ２３０が、自ＡＳ２００内のどこかに設けられてもよい。
【手続補正３】
【補正対象書類名】明細書
【補正対象項目名】００５９
【補正方法】変更
【補正の内容】
【００５９】
具体例として、ユーザがＢＧＰピアアドレスをＩと指定した場合につき、図１０の表示例に沿って、説明する。まず、図２（ｂ−２）のＯＳＰＦアドレス情報より、指定されたＢＧＰピアのアドレスであるＩを持つルータを検索すると、ルータＤが得られるので、これを終点ルータとする。そして、全ての境界ルータＡ，Ｅ，Ｄを対象として、以下を行う。各境界ルータについての図２（ａ）のＢＧＰ情報において、次段ルータが終点ルータＤと同一であるものを検索すると、宛先プレフィックスＸ及びＹが得られる。そして、図３のＮｅｔｆｌｏｗ／ｓｆｌｏｗの情報から、宛先プレフィックスＸと任意の送信元プレフィックスに対応するトラフィック値を取得すると、ルータＡでは１０Ｍｂｐｓ、ルータＥでは１０Ｍｂｐｓが得られ、宛先プレフィックスＹと任意の送信元プレフィックスに対応するトラフィック値を取得すると、ルータＡでは２０Ｍｂｐｓ、ルータＥでは５９Ｍｂｐｓが得られる。ルータＤのＢＧＰ情報には、次段ルータとしてルータＤは登録されておらず、Ｎｅｔｆｌｏｗ／ｓｆｌｏｗの情報も０Ｍｂｐｓである。
【手続補正４】
【補正対象書類名】明細書
【補正対象項目名】００６１
【補正方法】変更
【補正の内容】
【００６１】
ユーザによりＢＧＰピアのＡＳ番号が指定された場合は、情報提示装置１００における処理の流れは、図４に示すものとなる。すなわち、ユーザ指示がピアＡＳの番号を指定するものであると（Ｓ４２０Ｙｅｓ）、図２（ａ）のＢＧＰ情報のピアＡＳ番号をキーにして、指定されたＡＳ番号にマッチするプレフィックスを全て検索する（Ｓ４２５）。ここで、ユーザが宛先側のＢＧＰピアを指定しているのであれば、検索されたプレフィックスを宛先プレフィックスとし、ユーザが送信元側のＢＧＰピアを指定しているのであれば、検索されたプレフィックスを送信元プレフィックスとする（Ｓ４２５）。以降の処理は、送信元及び／又は宛先のプレフィックスが指定された場合と、同様であり、検索された全てのプレフィックスにつき、全ての境界ルータに対してＳ４５０〜Ｓ４８０の処理を行うループ（Ｓ４４０以降）に入る。
【手続補正５】
【補正対象書類名】明細書
【補正対象項目名】００６９
【補正方法】変更
【補正の内容】
【００６９】
以上、本発明の実施形態について説明したが、上述の実施形態を本発明の範囲内で当業者が種々に変形、応用して実施できることは勿論である。例えば、ネットワーク３００又は３１０がユーザネットワークである場合の境界ルータは、ＢＧＰスピーカではない可能性があるが、この場合でも、ＩＧＰ情報とＥＧＰ情報を組み合わせれば、ＢＧＰスピーカでない境界ルータ（始点ルータ）についても、図２（ａ）と同等の情報を得ることができ、上述した実施形態と同様の情報提示が実現できる。